(57)【要約】【課題】機器側端子と電池側端子との接触部分でチャタリングが生じることを抑制できる、電動工具を提供する。【解決手段】電池セルを保持した電池パック１２と、電池パック１２を取り付け及び取り外しが可能な電気機器１１と、を有する電動工具であって、電気機器１１に設けられた機器側端子２０と、電池パック１２に設けられ、かつ、機器側端子２０に接続される電池側端子２９と、電池パック１２を電気機器１１に取り付ける際の相対移動方向を所定方向に規制するガイドレール２１，３１と、電気機器１１に設けられ、かつ、所定方向に交差する方向で、機器側端子３０と電池側端子２９とを押し付け合わせる押し付け部材２３と、を有する。【選択図】図４
2014231132.tif 000002
【特許請求の範囲】
【請求項１】
電池セルを保持した電池パックと、前記電池パックを取り付け及び取り外しが可能な電気機器と、を有する電気装置であって、
前記電気機器に設けられた機器側端子と、
前記電池パックに設けられ、かつ、前記電池パックが前記電気機器に取り付けられると前記機器側端子に接続される電池側端子と、
前記電池パックを前記電気機器に取り付ける際の相対移動方向を所定方向に規制するガイド部と、
前記電気機器または前記電池パックの少なくとも一方に設けられ、かつ、前記所定方向に交差する方向で、前記電気機器または前記電池パックの一方を、他方に押し付ける押し付け部材と、
を有する、電気装置。
【請求項２】
前記押し付け部材は、前記所定方向に交差する方向で、前記機器側端子と前記電池側端子とを押し付け合わせる、請求項１に記載の電気装置。
【請求項３】
前記押し付け部材は、弾性体である、請求項１に記載の電気装置。
【請求項４】
前記押し付け部材は、前記機器側端子と前記電池側端子とを押し付け合わせる力を調整できる、請求項１に記載の電気装置。
【請求項５】
前記押し付け部材は、前記電気機器または前記電池パックの少なくとも一方の表面からの突出量を調整できる、請求項１に記載の電気装置。
【請求項６】
前記押し付け部材は、前記電気機器を支持するフックを兼ねている、請求項１に記載の電気装置。
【請求項７】
前記押し付け部材は、転動可能なローラである、請求項１に記載の電気装置。
【請求項８】
前記電池パック及び前記電気機器を平面視すると、
前記電池側端子または前記機器側端子の一方は、Ｕ字形状であり、
前記機器側端子または前記電池側端子の他方は、直線状である、請求項１に記載の電気装置。
【請求項９】
電池セルを保持し電池側端子を有する電池パックと、前記電池パックを取り付け及び取り外しが可能であり前記電池側端子と接続可能な機器側端子を有する電気機器と、を有し、前記電池パックが前記電気機器に取り付けられると前記機器側端子または前記電池側端子の一方に設けられた開口部に、前記機器側端子または前記電池側端子の他方が挿入されるように構成される電気装置であって、
前記電気機器に対する前記電池パックの動きを、前記開口部の幅方向で規制する規制部材が設けられている、電気装置。
【請求項１０】
前記電池パックを前記電気機器に取り付ける際に前記他方の端子が前記開口部に挿入されるように、前記電池パックの移動方向をガイドするガイド部が設けられており、
前記規制部材は、前記電池パックの移動方向と交差する方向に前記電池パックを付勢する、請求項９に記載の電気装置。
【請求項１１】
前記規制部材は、前記電気機器または前記電池パックの一方に設けられており、
前記規制部材は、前記電気機器または前記電池パックの前記一方の表面からの突出量を調整できる、請求項９に記載の電気装置。
【請求項１２】
一対の電池側スライドレールを有する電池パックと、一対の機器側スライドレールを有し、前記一対の電池側スライドレールと前記機器側スライドレールとを接触させて、前記電池パックを取り付け及び取り外しが可能な電気機器と、を有する電気装置であって、
前記一対の電池側スライドレールと交差する方向における前記電池パックの動きを規制する規制部材を有する、電気装置。
【請求項１３】
前記規制部材は、前記一対の電池側スライドレールの幅方向における前記電池パックの動きを規制する、請求項１２に記載の電気装置。
【請求項１４】
前記電池パックは、電池側端子を有し、
前記電気機器は、機器側端子を有し、
前記電池側端子または前記機器側端子の一方は、前記一対の電池側スライドレールの幅方向に開口した開口部を有し、
前記規制部材は、前記開口部の幅方向における前記電池パックの動きを規制する、請求項１２に記載の電気装置。
【請求項１５】
電池セルを保持した電池パックが取り付け及び取り外しされる装着部を有する、電気機器であって、
前記装着部に設けられ、かつ、前記電池パックに設けられた電池側端子が接続される機器側端子と、
前記装着部に設けられ、かつ、前記電池パックを前記装着部に取り付ける際の相対移動方向を所定方向に規制するガイド部と、
前記装着部に設けられ、かつ、前記所定方向に交差する方向で、前記電池パックを押す押し付け部材と、
を有する、電気機器。
【請求項１６】
前記押し付け部材は、弾性体である、請求項１５に記載の電気機器。
【請求項１７】
前記押し付け部材は、前記装着部の表面からの突出量を調整できる、請求項１５に記載の電気機器。
【請求項１８】
前記押し付け部材は、前記機器側端子と前記電池側端子とを押し付け合わせる力を調整できる、請求項１５に記載の電気機器。
【請求項１９】
前記押し付け部材は、前記装着部を支持するフックを兼ねている、請求項１５に記載の電気機器。
【請求項２０】
前記押し付け部材は、転動可能なローラである、請求項１５に記載の電気機器。
【請求項２１】
前記電池パック及び前記電気機器を平面視すると、
前記電池側端子または前記機器側端子の一方は、Ｕ字形状であり、
前記機器側端子または前記電池側端子の他方は、直線状である、請求項１５に記載の電気機器。
【請求項２２】
電池セルを保持し、かつ、電気機器に取り付け及び取り外しされる収容ケースを有する、電池パックであって、
前記収容ケースに設けられ、かつ、前記電気機器に設けられた機器側端子が接続される電池側端子と、
前記収容ケースに設けられ、かつ、前記収容ケースを前記電気機器に取り付ける際の相対移動方向を所定方向に規制するガイド部と、
前記収容ケースに設けられ、かつ、前記所定方向に交差する方向で、前記電気機器を押す押し付け部材と、
を有する、電池パック。
【請求項２３】
前記押し付け部材は、弾性体である、請求項２２に記載の電池パック。
【請求項２４】
前記押し付け部材は、前記電気機器を押す力を調整できる、請求項２２に記載の電池パック。
【請求項２５】
前記押し付け部材は、前記収容ケースの表面からの突出量を調整できる、請求項２２に記載の電池パック。
【請求項２６】
前記押し付け部材は、転動可能なローラである、請求項２２に記載の電池パック。
【請求項２７】
前記収容ケース及び前記電気機器を平面視すると、
前記電池側端子または前記機器側端子の一方は、Ｕ字形状であり、
前記機器側端子または前記電池側端子の他方は、直線状である、請求項２２に記載の電池パック。
【発明の詳細な説明】
【技術分野】
【０００１】
本発明は、電池パックが着脱される電気機器を有する電気装置、電池パックが着脱される電気機器、電池セルを収容した電池パックに関する。
【背景技術】
【０００２】
従来、携帯型の電気装置が知られており、その電気装置の一例が、特許文献１に記載されている。この特許文献１に記載された電気装置は、コードレスハンマドリルであり、電気装置は、電池パックが着脱される電気機器を有する。電気機器は、ハウジングと、ハウジングに連続されたハンドル部とを有し、ハウジングに、一対のスライドレールが設けられている。また、ハウジングに機器側端子が設けられている。さらに、ハウジングに、ピンを支点として回動可能な弾性部材が取り付けられている。一方、電池パックには一対のレール部、及び電池側端子が設けられている。
【０００３】
特許文献１に記載された電気装置は、電池パックを電気機器のハウジングに取り付ける際に、一対のスライドレールと、一対のレール部とを係合させて電池パックをスライドさせる。電池パックが電気機器に取り付けられると、機器側端子と電池側端子とが接続される。また、弾性部材の第１押圧部が電池パックの端面に押し付けられ、弾性部材の第２押圧部が電池パックの底部に押し付けられる。このため、電気機器に対する電池パックの上下方向のガタ、スライド方向のガタを抑制できる、と記載されている。
【先行技術文献】
【特許文献】
【０００４】
【特許文献１】特開２００３−２２０５７９号公報
【発明の概要】
【発明が解決しようとする課題】
【０００５】
しかしながら、特許文献１に記載された電気装置は、機器側端子と電池側端子との接触方向に、電気機器と電池パックとが相対移動することを抑制できず、機器側端子と電池側端子との接触部分でチャタリングが生じる可能性があった。
【０００６】
本発明は、上記問題点を解決するためになされたものであり、機器側端子と電池側端子との接触部分でチャタリングが生じることを抑制できる、電気装置及び電気機器及び電池パックを提供することにある。
【課題を解決するための手段】
【０００７】
一実施形態の電気装置は、電池セルを保持した電池パックと、前記電池パックを取り付け及び取り外しが可能な電気機器と、を有する電気装置であって、前記電気機器に設けられた機器側端子と、前記電池パックに設けられ、かつ、前記電池パックが前記電気機器に取り付けられると前記機器側端子に接続される電池側端子と、前記電池パックを前記電気機器に取り付ける際の相対移動方向を所定方向に規制するガイド部と、前記電気機器または前記電池パックの少なくとも一方に設けられ、かつ、前記所定方向に交差する方向で、前記電気機器または前記電池パックの一方を、他方に押し付ける押し付け部材と、を有する。
【０００８】
他の実施形態の電気装置は、電池セルを保持し電池側端子を有する電池パックと、前記電池パックを取り付け及び取り外しが可能であり前記電池側端子と接続可能な機器側端子を有する電気機器と、を有し、前記電池パックが前記電気機器に取り付けられると前記機器側端子または前記電池側端子の一方に設けられた開口部に、前記機器側端子または前記電池側端子の他方が挿入されるように構成される電気装置であって、前記電気機器に対する前記電池パックの動きを、前記開口部の幅方向で規制する規制部材が設けられている。
【０００９】
他の実施形態の電気装置は、一対の電池側スライドレールを有する電池パックと、一対の機器側スライドレールを有し、前記一対の電池側スライドレールと前記機器側スライドレールとを接触させて、前記電池パックを取り付け及び取り外しが可能な電気機器と、を有する電気装置であって、前記一対の電池側スライドレールと交差する方向における前記電池パックの動きを規制する規制部材を有する。
【００１０】
他の実施形態の電気機器は、電池セルを保持した電池パックが取り付け及び取り外しされる装着部を有する、電気機器であって、前記装着部に設けられ、かつ、前記電池パックに設けられた電池側端子が接続される機器側端子と、前記装着部に設けられ、かつ、前記電池パックを前記装着部に取り付ける際の相対移動方向を所定方向に規制するガイド部と、前記装着部に設けられ、かつ、前記所定方向に交差する方向で、前記電池パックを押す押し付け部材と、を有する。
【００１１】
他の実施形態の電池パックは、電池セルを保持し、かつ、電気機器に取り付け及び取り外しされる収容ケースを有する、電池パックであって、前記収容ケースに設けられ、かつ、前記電気機器に設けられた機器側端子が接続される電池側端子と、前記収容ケースに設けられ、かつ、前記収容ケースを前記電気機器に取り付ける際の相対移動方向を所定方向に規制するガイド部と、前記収容ケースに設けられ、かつ、前記所定方向に交差する方向で、前記電気機器を押す押し付け部材と、を有する。
【発明の効果】
【００１２】
本発明の電気装置によれば、押し付け部材により電気機器と電池パックとを押し付けると、電気機器に対する電池パックの横方向のガタツキを抑制できる。特に、機器側端子と電池側端子とのチャタリングを抑制できる。
【図面の簡単な説明】
【００１３】
【図１】本発明の電気装置を適用した電動工具の側面図である。
【図２】図１に示す電動工具の実施の形態１の構造を示す縦断面図である。
【図３】電動工具の実施の形態１の構造を示す平面断面図である。
【図４】電動工具の実施の形態１の構造を示す平面断面図である。
【図５】図１に示す電動工具の実施の形態２の構造を示す平面断面図である。
【図６】（Ａ），（Ｂ）は、図１に示す電動工具の実施の形態３を構造を示す側面図である。
【図７】図６に示す電動工具の縦断面図である。
【図８】電動工具の実施の形態３の構造を示す平面断面図である。
【図９】電動工具の実施の形態３の構造を示す平面断面図である。
【図１０】電動工具の実施の形態４の構造を示す縦断面図である。
【図１１】電動工具の実施の形態４の構造を示す平面断面図である。
【図１２】電動工具の実施の形態５の構造を示す縦断面図である。
【図１３】電動工具の実施の形態５の構造を示す平面断面図である。
【発明を実施するための形態】
【００１４】
本発明の電気機器の実施形態を、図面を用いて詳細に説明する。図１は、本発明の電気装置としての電動工具１０を示す。電動工具１０は、電気機器１１と、電気機器１１に着脱される電池パック１２とを有する。電気機器１１は、中空のハウジング１３と、ハウジング１３に連続して設けたグリップ１４と、グリップ１４におけるハウジング１３とは反対側の端部に設けた装着部１５とを備えている。
【００１５】
ハウジング１３には、先端工具を取り付け及び取り外しができる工具保持部１６が設けられている。ハウジング１３の内部に電動モータが設けられている。電動モータから先端工具に動力が伝達されると、先端工具は中心線Ａ１を中心として回転運動または往復運動する。すなわち、電動工具１０は、ドリル、ドライバ、インパクトドライバ、ハンマ、ハンマドリル、ハンマドライバ等を含む。
【００１６】
グリップ１４の内部には制御基板が設けられており、制御基板にはコード１７が接続されている。コード１７は電力また信号を送るためのものである。装着部１５は隔壁１８を備えており、隔壁１８に端子ホルダ１９が固定されている。また、端子ホルダ１９に機器側端子２０が固定されている。機器側端子２０は複数設けられているが、図では便宜上、１個の機器側端子２０を示してある。機器側端子２０は、導電材料、例えば、銅、銅合金等をプレート状に成形したものである。機器側端子２０の面方向は、中心線Ａ１に沿った方向と同じである。
【００１７】
（実施の形態１）
電動工具１０の構造例である実施の形態１を、図１〜図４を参照して説明する。装着部１５には一対のガイドレール２１が設けられている。電気機器１１を平面視すると、一対のガイドレール２１は互いに平行に配置されている。図では、一対のガイドレール２１の一方が示されている。電気機器１１を平面視すると、一対のガイドレール２１は中心線Ｂ１の両側に配置されており、かつ、中心線Ｂ１と平行な方向に延ばされている。中心線Ａ１の下方に機器側端子２０が位置するように電気機器１１を支持すると、一対のガイドレール２１は機器側端子２０よりも下方に位置する。一対のガイドレール２１は、相互に近づく向きで突出されている。電気機器１１を平面視すると、機器側端子２０は中心線Ｂ１と平行に直線状に延ばされている。
【００１８】
一対のガイドレール２１の長手方向の端部に突起２２が設けられている。また、装着部１５の上下方向で機器側端子２０と、一方のガイドレール２１との間に押し付け部材２３が設けられている。押し付け部材２３は、ゴム状弾性体により一体成形されている。装着部１５には取付け孔が設けられており、その取付け孔に押し付け部材２３が配置されている。押し付け部材２３は、装着部１５の壁２４の内面２４Ａから、ガイドレール２１の突出方向に所定量が突出している。
【００１９】
一方、電池パック１２は、電池セル２５が収容された容器本体２６と、容器本体２６の開口部を覆うカバー２７とを有する。電池セル２５には電極が接続され、電極はコード２８を介して電池側端子２９に接続されている。電池側端子２９は、機器側端子２０に接続可能である。電池側端子２９は複数個設けられているが、図では便宜上、電池側端子２９を１個示してある。電池側端子２９は、導電材料、例えば、銅、銅合金等をプレート状に一体成形したものであり、電池パック１２を平面視すると、電池側端子２９の厚さ方向は、水平面に沿った方向にある。また、電池パック１２を平面視すると、電池側端子２９はＵ字形状に屈曲されており、電池側端子２９の両端の間に開口部３０が形成されている。電池側端子２９の両端の開口部３０は、隙間と把握してもよい。カバー２７には複数の端子挿入孔が設けられており、各端子挿入孔に電池側端子２９が個々に配置されている。
【００２０】
さらに、カバー２７には一対のガイドレール３１が設けられている。電池パック１２を平面視すると、一対のガイドレール３１は、カバー２７の外周に、かつ、互いに平行に配置されている。また、カバー２７が容器本体２６の上に位置する状態で電池パック１２を支持すると、一対のガイドレール３１の下方に、それぞれガイド溝３２が形成されている。
【００２１】
すなわち、電気機器１１を平面視すると、機器側端子２０の厚さ方向は、中心線Ｂ１に対して交差する方向、具体的には直角な方向である。電気機器１１と電池パック１２とが相対移動する方向は、ガイドレール２１，３１、ガイド溝３２によって、所定方向、つまり、中心線Ｂ１に沿った方向に規制される。電気機器１１及び電池パック１２を平面視すると、中心線Ｂ１に対して直角な方向が、一対の電池側スライドレール３１の幅方向である。一対の電池側スライドレール３１の幅方向は、電池側端子２９の開口部３０の幅方向と同じである。
【００２２】
さらに、カバー２７には一対の操作ボタン３３が設けられている。図では、便宜上、１個の操作ボタン３３を示してある。カバー２７の内部にはマウント部３４が設けられており、マウント部３４と操作ボタン３３との間に、弾性部材、つまり、圧縮コイルばね３５が介在されている。カバー２７には孔３６が設けられており、孔３６に操作ボタン３３の一部が挿入されている。また、操作ボタン３３にはラッチ３７が設けられており、カバー２７に設けた孔３８からラッチ３７がカバー２７の外部へ露出している。
【００２３】
上記の構成を有する電動工具１０は、電池パック１２を電気機器１１に装着するにあたり、一対のガイドレール２１と一対のガイド溝３２とを位置合わせし、電池パック１２を電気機器１１に近づける。すると、一対のガイドレール２１が、一対のガイド溝３２に進入するとともに、一対のガイドレール２１が一対のガイド溝３２の内面に接触することで、電気機器１１と電池パック１２との相対移動方向が、中心線Ｂ１に沿った方向となる。また、押し付け部材２３が、電池パック１２に設けたガイドレール３１に接触して弾性変形する。このため、電池パック１２は、電気機器１１の装着部１５に対して、一対のガイドレール２１の長手方向に対して交差する向きで押し付けられる。
【００２４】
具体的に説明すると、図３のように、電気機器１１及び電池パック１２を平面視すると、電気機器１１に対して電池パック１２が中心線Ｂ１に沿った方向にスライドするにあたり、電池パック１２が中心線Ｂ１に対して直角な方向に電気機器１１の装着部１５に押し付けられる。中心線Ｂ１に対して直角な方向は、電池側端子２９の開口部３０の幅方向である。
【００２５】
また、電池パック１２を電気機器１１の装着部１５に取り付ける際に、装着部１５に設けられた機器側端子２０が、電池パック１２に設けられた電池側端子２９の開口部３０に進入する。さらに、装着部１５の突起２２が操作ボタン３３のラッチ３７に接触すると、操作ボタン３３が圧縮コイルばね３５の力に抗してカバー２７の内部に向けて動作し、ラッチ３７が突起２２を乗り越える。そして、図４のように、装着部１５がカバー２７のストッパ３９に接触すると、電池パック１２が停止する。
【００２６】
ここで、操作ボタン３３が圧縮コイルばね３５の力でカバー２７の外側に向けて移動し、ラッチ３７が突起２２と係合する。したがって、電池パック１２と電気機器１１とが、中心線Ｂ１に沿った方向に相対移動すること、つまり、電池パック１２が電気機器１１から外れることを防止できる。電池パック１２が電気機器１１に装着されると、電池側端子２９と機器側端子２０とが完全に接続される。機器側端子２０は、Ｕ字形状の電池側端子２９の両端により、厚さ方向に挟み付けられる。
【００２７】
本実施形態では、押し付け部材２３がガイドレール３１に接触して弾性変形し、押し付け部材２３の力で、中心線Ｂ１に対して交差する方向に、電池パック１２と電気機器１１とが互いに押し付け合う。このため、押し付け部材２３が設けられていない側において、ガイド溝３２とガイドレール２１との隙間がなくなり、ガイド溝３２の内面とガイドレール２１の表面とが確実に接触する。
【００２８】
このため、電池パック１２を平面視すると、中心線Ｂ１に対して交差する方向に、電池パック１２と電気機器１１とがガタつくことを防止できる。また、カバー２７のガイドレール３１の突出量、装着部１５のガイドレール２１の突出量、ガイド溝３２の深さ等に、寸法誤差があったとしても、それらの誤差を吸収できる。ここで、中心線Ｂ１に対して交差する方向は、機器側端子２０の厚さ方向であり、その方向で電池側端子２９と機器側端子２０とが押し付け合う。したがって、電池側端子２９と機器側端子２０との接触部分でチャタリングが生じることを回避できる。
【００２９】
なお、電池パック１２を電気機器１１から取り外す場合は、操作ボタン３３を作業者が押して、圧縮コイルばね３５の力に抗して移動させ、ラッチ３７と突起２２との係合を解除する。次いで、電池パック１２と電気機器１１とを、ガイドレール２１，３１に沿って離れる方向、つまり、中心線Ｂ１に沿った方向に相対移動させる。すると、電池側端子２９と機器側端子２０とが離れ、さらに、電池パック１２を電気機器１１から取り外すことができる。
【００３０】
（実施の形態２）
図１に示す電動工具１０の構造例である実施の形態２を、図１及び図５を参照して説明する。図５において、図１〜図４の構成と同じ構成部分については、同じ符号を付してある。図５に示された電気機器１１は、装着部１５の壁２４に貫通孔４０が設けられており、貫通孔４０にねじ部材４１の軸部４２が挿入されている。ねじ部材４１は貫通孔４０内で回転可能であり、ねじ部材４１の軸部４２には止め輪４３が取り付けられている。ねじ部材４１の頭部４４及び止め輪４３が壁２４に係止するため、ねじ部材４１は貫通孔４０内で軸方向には移動しない。また、軸部４２の先端側の外周面には雌ねじが形成されている。
【００３１】
さらに、壁２４には保持孔４５が設けられており、保持孔４５にはナット４６が設けられている。ナット４６は軸部４２の雌ねじに取り付けられている。ナット４６は、保持孔４５内でねじ部材４１の軸方向に移動可能であり、かつ、ねじ部材４１を中心として回転しないように、保持孔４５内に配置されている。ナット４６の外表面はゴム状弾性体で覆われている。すなわち、ナット４６は、金属とゴム状弾性体とを二層成形により一体化してある。装着部１５において、ナット４６が設けられている箇所は、図２の押し付け部材２３が設けられている箇所と同じである。
【００３２】
図５に示されたねじ部材４１及びナット４６を取り付けた電気機器１１に電池パック１２を装着する作業を行うと、ナット４６を覆うゴム状弾性体がガイドレール３１に接触して弾性変形し、電池パック１２を装着部１５に押し付ける作用が生じる。したがって、前述と同様の効果を得ることができる。
【００３３】
また、図５に示す実施形態では、ねじ部材４１を回転させると、ねじ部材４１は軸方向には移動せず、ナット４６がねじ部材４１の軸方向に移動する。つまり、壁２４の内面２４Ａからナット４６が突出する量を調整できる。したがって、ガイドレール２１，３１、ガイド溝３２等の寸法にバラツキがあったとしても、ガイド溝３２とガイドレール２１との隙間を確実に狭めることができる。
【００３４】
（実施の形態３）
図１に示す電動工具１０の実施の形態３を、図６〜図８を参照して説明する。図６〜図８において、図１〜図４の構成と同じ構成部分については、同じ符号を付してある。装着部１５の外面には、ねじ部材４７を用いてフック４８が取り付けられている。フック４８を作業者のベルト等に掛けると、電動工具１０を支持できる。フック４８には長孔４９が形成されており、ねじ部材４７は長孔４９内に挿入されている。フック４８は金属材料をプレス成形してＵ字形状に屈曲したものであり、フック４８には突起５０が形成されている。フック４８は、電池パック１２と電気機器１１とを押し付け合わせる力を生じる役割と、電気機器１１を支持する役割とを兼ねている。
【００３５】
電気機器１１を平面視すると、装着部１５の外面５１は中心線Ｂ１に対して傾斜している。また、装着部１５には、壁２４を厚さ方向に貫通するガイド孔５２が設けられており、突起５０はガイド孔５２に配置されている。図７のように、電池パック１２を装着部１５に装着すると、突起５０とガイドレール３１とが同じ位置にあり、突起５０の先端がガイドレール３１に接触する。フック４８は、ねじ部材４７が緩められていると、突起５０がガイド孔５２に位置した状態で、外面５１に沿ってスライド可能である。装着部１５を平面視すると、ガイド孔５２の周囲において、壁２４の内面２４Ａは中心線Ｂ１と平行である。
【００３６】
このため、フック４８を装着部１５の外面５１に沿ってスライドすると、壁２４の内面２４Ａからの突起５０の突出量が変化する。操作ボタン３３に対するフック４８の距離は、図６（Ａ）及び図８の場合の方が、図６（Ｂ）及び図９の場合よりも近い。そして、壁２４の内面２４Ａからの突起５０の突出量は、図８よりも図９の方が大きい。また、ねじ部材４７が緩められている状態で、突起５０がガイド孔５２に配置されているため、フック４８がねじ部材４７を中心として動くことはない。すなわち、突起５０は回り止めの機能を有する。なお、ねじ部材４７を締め付けると、フック４８は装着部１５に固定され、壁２４の内面２４Ａからの突起５０の突出量が確定する。
【００３７】
電気機器１１に実施の形態３の構造が設けられており、その電気機器１１に電池パック１２を取り付けると、フック４８の突起５０の先端がガイドレール３１に押し付けられる。このため、フック４８が設けられている箇所とは反対に位置するガイドレール２１が、ガイド溝３２の内面に押し付けられる。したがって、実施の形態３に相当する電動工具１０においても、電池側端子２９と機器側端子２０との接触部分でチャタリングが生じることを防止できる。
【００３８】
また、電動工具１０の実施の形態３では、フック４８を装着部１５の外面５１に沿って移動させると、壁２４の内面に対する突起５０の突出量を調整できる。したがって、ガイドレール２１，３１、ガイド溝３２の寸法等にバラツキがあったとしても、ガイドレール２１とガイド溝３２との隙間を確実に狭めることができる。
【００３９】
（実施の形態４）
図１に示す電動工具１０の実施の形態４を、図１０及び図１１を参照して説明する。図１０及び図１１において、図１〜図４の構成と同じ構成部分については、同じ符号を付してある。装着部１５の壁２４には、支持軸５３を中心として回転可能なローラ５４が設けられている。ローラ５４は、樹脂またはゴム状弾性体により一体成形することができる。また、ローラ５４は、金属または樹脂の表面に、ゴム状弾性体を被覆した構造でもよい。支持軸５３は上下方向に沿って配置されている。ローラ５４の外周面は、壁２４の内面２４Ａから所定量突出している。また、電気機器１１に電池パック１２を取り付けると、ローラ５４とガイドレール３１とが同じ位置にある。
【００４０】
電動工具１０の実施の形態４においては、電池パック１２を装着部１５に取り付ける過程で、ローラ５４の外周面がガイドレール３１に接触して転動可能である。このため、ローラ５４とガイドレール３１との接触抵抗を低減できる。また、図１１のように、電気機器１１に対する電池パック１２の取り付けが完了すると、ローラ５４がガイドレール３１に押し付けられる。このため、ローラ５４が設けられている箇所とは反対に位置するガイドレール２１が、ガイド溝３２の内面に押し付けられる。したがって、実施の形態４に相当する電動工具１０においても、電池側端子２９と機器側端子２０との接触部分でチャタリングが生じることを防止できる。
【００４１】
（実施の形態５）
図１に示す電動工具１０の実施の形態５を、図１２及び図１３を参照して説明する。図１２及び図１３において、図１〜図４の構成と同じ構成部分については、同じ符号を付してある。一方のガイドレール３１に押し付け部材５５が設けられている。押し付け部材５５は、ゴム状弾性体により一体成形されている。ガイドレール３１の側面に凹部が形成され、その凹部に押し付け部材５５が配置されている。押し付け部材５５の先端は、ガイドレール３１の側面から所定量突出している。また、電気機器１１に電池パック１２を取り付けると、押し付け部材５５は、ガイドレール２１と隔壁１８との間に位置する。
【００４２】
電動工具１０の実施の形態５においては、電池パック１２を装着部１５に取り付ける過程で、押し付け部材５５が装着部１５の壁２４の内面２４Ａに接触し、押し付け部材５５が弾性変形する。そして、図１３のように、電気機器１１に対する電池パック１２の取り付けが完了すると、押し付け部材５５が壁２４に押し付けられる。このため、押し付け部材５５が設けられている箇所とは反対に位置するガイドレール２１が、ガイド溝３２の内面に押し付けられる。したがって、実施の形態５に相当する電動工具１０においても、電池側端子２９と機器側端子２０との接触部分でチャタリングが生じることを防止できる。
【００４３】
各実施の形態で説明した構成と、本発明の構成との対応関係を説明すると、電動工具１０が、本発明の電気装置に相当し、容器本体２６及びカバー２７が、本発明の収容ケースに相当する。また、ガイドレール２１，３１及びガイド溝３２が、本発明のガイド部に相当し、中心線Ｂ１に沿った方向が、本発明の所定方向に相当する。一対のガイドレール３１が、本発明における一対の電池側スライドレールに相当し、一対のガイドレール２１が、本発明における一対の機器側スライドレールに相当する。また、壁２４の内面が、本発明における装着部の表面、電気機器の表面に相当する。さらに、ナット５６、フック４８、ローラ５４等が、本発明の押し付け部材及び規制部材に相当する。また、押し付け部材２３が、本発明の規制部材に相当する。なお、電気機器１１または電池パック１２は、いずれが本発明における一方の要素または他方の要素でもよい。
【００４４】
本発明は上記実施形態に限定されるものではなく、その要旨を逸脱しない範囲で種々変更可能である。例えば、ねじ部材４１、ナット４６に相当する構成を、電池パック１２に設けることもできる。また、ローラ５４及び支持軸５３に相当する構成を、電池パック１２に設けることもできる。
【００４５】
また、押し付け部材を、２つのガイドレールのそれぞれに対応させて２つ設けることもできる。この場合、電池パックが両側から付勢されることになるため、装着部１５に対する電池パック１２の幅方向のガタツキを一層抑制することができる。電池パック１２の幅方向は、中心線Ｂ１と交差する方向である。
【００４６】
また、機器側端子をＵ字形状とし、電池側端子を直線状とすることもできる。この場合であっても、上記した実施の形態と同様の効果を得ることができる。
【００４７】
さらに、本発明の電気装置は、前述した電動工具の他、グラインダ、サンダ、釘打ち機、ねじ打ち機、タッカ、集塵機、送風機、ポンプ、高圧洗浄機、チェンソー、草刈機、植木用バリカン、耕耘機等を含む。すなわち、本発明の電気装置は、電池パックの電力で電動モータを回転させ、その回転運動を動作部材の往復運動または回転運動の少なくとも一方に変換する装置を含む。また、本発明の電気装置は、トーチライト等を含む。すなわち、本発明の電気装置は、電池パックから供給される電気エネルギを光エネルギに変換する照明装置を含む。
【符号の説明】
【００４８】
１０…電動工具、１１…電気機器、１２…電池パック、２０…機器側端子、２１，３１…ガイドレール、２３，５５…押し付け部材、２９…電池側端子、４６…ナット、５４…ローラ。
【図１】
2014231132.tif 000003
【図２】
2014231132.tif 000004
【図３】
2014231132.tif 000005
【図４】
2014231132.tif 000006
【図５】
2014231132.tif 000007
【図６】
2014231132.tif 000008
【図７】
2014231132.tif 000009
【図８】
2014231132.tif 000010
【図９】
2014231132.tif 000011
【図１０】
2014231132.tif 000012
【図１１】
2014231132.tif 000013
【図１２】
2014231132.tif 000014
【図１３】
2014231132.tif 000015